(57)【特許請求の範囲】
【請求項１】
複数の入力項目に情報を入力させるための複数の入力欄を表示する表示手段と、
前記入力欄に入力された入力情報を入力履歴情報として記憶する入力履歴情報記憶手段と、
前記入力履歴情報記憶手段によって記憶された入力履歴情報を用いて、前記複数の入力項目への入力情報が同一である入力履歴情報の数である重複頻度を算出し、この重複頻度とそれに対応する入力情報を含む重複頻度情報を生成する重複頻度情報生成手段と、
前記重複頻度情報を記憶する重複頻度情報記憶手段と、
前記複数の入力項目のうちの少なくとも一の入力項目への入力情報が受け付けられた場合に、該入力情報を含む重複頻度情報を前記重複頻度情報記憶手段から抽出して、ユーザに選択を促す抽出手段と、
前記抽出手段によって抽出された重複頻度情報であって、ユーザに選択された重複頻度情報が含む入力情報を前記複数の入力欄に入力する入力支援手段と
前記重複頻度情報がユーザに選択された回数を計数する選択回数計数手段と、
を備え、
前記表示処理手段は、前記重複頻度情報の選択回数に応じて、重複頻度情報を配列して表示する
ことを特徴とする情報入力支援装置。
【請求項２】
前記重複頻度に応じて前記重複頻度情報を配列して表示させる表示処理手段をさらに有することを特徴とする請求項１記載の情報入力支援装置。
【請求項３】
前記複数の入力項目は、取引業務に関する情報の入力時に繰り返し使用されるアドレス項目と、該取引業務に関する情報の入力時に流動的に変化するボリューム項目とを含むことを特徴とする請求項１又は２のいずれか１項記載の情報入力支援装置。
【請求項４】
前記アドレス項目は、前記取引業務の処理システムにて使用される業務項目ごとにそれぞれ付随する複数の詳細項目情報を含む業務マスタ情報を示すことを特徴とする請求項３記載の情報入力支援装置。
【請求項５】
複数の入力項目に情報を入力させるための複数の入力欄を表示する表示工程と、
前記入力欄に入力された入力情報を入力履歴情報として記憶させる入力履歴情報記憶工程と、
前記入力履歴情報記憶工程によって記憶された入力履歴情報を用いて、前記複数の入力項目への入力情報が同一である入力履歴情報の数である重複頻度を算出し、この重複頻度とそれに対応する入力情報を含む重複頻度情報を生成する重複頻度情報生成工程と、
前記重複頻度情報を記憶させる重複頻度情報記憶工程と、
前記複数の入力項目のうちの少なくとも一の入力項目への入力情報が受け付けられた場合に、該入力情報を含む重複頻度情報を抽出して、ユーザに選択を促す抽出工程と、
前記抽出工程によって抽出された重複頻度情報であって、ユーザに選択された重複頻度情報が含む入力情報を前記複数の入力欄に入力する入力支援工程と、
前記重複頻度情報がユーザに選択された回数を計数する選択回数計数工程と
を備え、
前記表示処理工程は、前記重複頻度情報の選択回数に応じて、重複頻度情報を配列して表示させる
ことを特徴とする情報入力支援方法。
【請求項６】
前記重複頻度に応じて前記重複頻度情報を配列して表示させる表示処理工程をさらに有することを特徴とする請求項５記載の情報入力支援方法。
【請求項７】
前記複数の入力項目は、取引業務に関する情報の入力時に繰り返し使用されるアドレス項目と、該取引業務に関する情報の入力時に流動的に変化するボリューム項目とを含むものである
ことを特徴とする請求項５又は請求項６のいずれかに記載の情報入力支援方法。
【請求項８】
前記アドレス項目は、前記取引業務の処理システムにて使用される業務項目ごとにそれぞれ付随する複数の詳細項目情報を含む業務マスタ情報を示すことを特徴とする請求項７記載の情報入力支援方法。
【請求項９】
請求項１から請求項４に記載の情報入力支援装置としてコンピュータを機能させるプログラム。
【請求項１０】
請求項５から請求項９のいずれかに記載の情報入力支援方法をコンピュータに実行させる、記憶媒体に記憶可能な情報入力支援プログラム。
【発明の詳細な説明】
【技術分野】
【０００１】
本発明は、情報を入力する際の入力作業の簡素化や効率化を図るための支援を行う情報入力支援装置、情報入力支援方法及びプログラムに関する。
【背景技術】
【０００２】
従来より、情報を入力する際の入力作業の支援を行うものとして、例えば下記特許文献１に開示されている入力支援システムが知られている。この入力支援システムは、イベントの発生に伴って必要となる業務の処理を自動化するワークフローシステムなどに用いられ、操作者（ユーザ）による入力が必要な複数項目の項目内容の入力を受け付ける項目内容入力手段と、操作者による項目内容の入力が必要な複数項目のうち、同じ内容が入力されるべき項目同士を共通項目として関連付ける共通項目関連付け手段とを備える。
【０００３】
そして、この入力支援システムは、共通項目関連付け手段によって共通項目として関連付けられた項目については、その項目内容を操作者が１度入力すれば済むように、項目内容入力手段を制御する入力項目制御手段を備えている。これにより、操作者が入力しなければならない項目の数を減らして入力ミスのおそれを減少させ、操作者の使い勝手を向上させることができる構成とされている。
【特許文献１】特開２００５−１９００３９号公報
【発明の開示】
【発明が解決しようとする課題】
【０００４】
しかしながら、上記特許文献１に開示されている入力支援システムでは、操作者による項目内容の入力が必要な複数項目のうち、同じ内容が入力されるべき項目同士を共通項目として関連付けて、一つの共通項目への入力内容を他の共通項目への入力内容に反映させることで項目の数を減らすようにしている。このため、操作者による共通項目への項目内容の入力作業が予め必要であるとともに、共通項目ではない項目に対しては従前の通りの入力作業が必要であり、さらなる入力作業の簡素化や効率化を図ることが困難であるという問題があった。
【０００５】
本発明は、このような問題点に鑑みてなされたもので、情報を入力する際の手間や入力ミスを省くように支援して入力作業の簡素化や効率化を図ることができる情報入力支援装置、情報入力支援方法及び情報入力支援プログラムを提供することを目的とする。
【課題を解決するための手段】
【０００６】
上記課題を解決するための手段として、本発明は以下の特徴を有する。
本発明の第１の態様は、情報入力支援装置として提案される。この情報入力支援装置は、複数の入力項目に情報を入力させるための複数の入力欄を表示する表示手段（例えば、表示装置）と、入力欄に入力された入力情報を入力履歴情報として記憶する入力履歴情報記憶手段と（例えば、入力履歴ＤＢ２１１）、入力履歴情報記憶手段によって記憶された入力履歴情報を用いて、複数の入力項目への入力情報が同一である入力履歴情報の数である重複頻度を算出し、この重複頻度とそれに対応する入力情報を含む重複頻度情報を生成する重複頻度情報生成手段（例えば、制御部２０１及び演算部２０４）と、重複頻度情報を記憶する重複頻度情報記憶手段（例えば、重複頻度ＤＢ２１２）と、複数の入力項目のうちの少なくとも一の入力項目への入力情報が受け付けられた場合に、該入力情報を含む重複頻度情報を重複頻度情報記憶手段から抽出して、ユーザに選択を促す抽出手段（例えば、制御部２０１、及び表示装置）と、抽出手段によって抽出された重複頻度情報であって、ユーザに選択された重複頻度情報が含む入力情報を複数の入力欄に入力する入力支援手段（例えば、制御部２０１及び表示処理部２０３）とを備えたことを特徴としている。
【０００７】
本発明に係る情報入力支援装置は、上記のように構成されることにより、入力項目に対して情報を入力する際に、従前に入力された入力項目ごとの入力内容である入力履歴情報を選択可能に表示し、ユーザが選択した入力履歴情報を用いて入力を代行するため、情報を入力する際の手間や入力ミスを省くように支援して入力作業の簡素化や効率化を図ることが可能となる。
【０００８】
また、本発明の第２の態様は、情報入力支援方法として提案される。  
この方法は、複数の入力項目に情報を入力させるための複数の入力欄を表示する表示工程と、入力欄に入力された入力情報を入力履歴情報として記憶させる入力履歴情報記憶工程（例えば、入力履歴情報等生成処理のステップＳ１０３，Ｓ１０４）と、入力履歴情報記憶工程によって記憶された入力履歴情報を用いて、複数の入力項目への入力情報が同一である入力履歴情報の数である重複頻度を算出し、この重複頻度とそれに対応する入力情報を含む重複頻度情報を生成する重複頻度情報生成工程（例えば、入力履歴情報等生成処理のステップＳ１０５）と、重複頻度情報を記憶させる重複頻度情報記憶工程（例えば、入力履歴情報等生成処理のステップＳ１０６）と、複数の入力項目のうちの少なくとも一の入力項目への入力情報が受け付けられた場合に、該入力情報を含む重複頻度情報を抽出して、ユーザに選択を促す抽出工程（例えば、情報入力支援処理のステップＳ２０２，Ｓ２０３）と、抽出工程によって抽出された重複頻度情報であって、ユーザに選択された重複頻度情報が含む入力情報を複数の入力欄に入力する入力支援工程（例えば、情報入力支援処理のステップＳ２０５）とを有することを特徴としている。
【０００９】
また、本発明は、コンピュータを上記情報入力支援装置として機能させるためのプログラム、或いは上記情報入力支援方法をコンピュータに実行させるプログラムとしても成立する。
【発明の効果】
【００１０】
以上のように本発明によれば、情報を入力する際の手間や入力ミスを省くように支援して入力作業の簡素化や効率化を図ることが可能となる。
【発明を実施するための最良の形態】
【００１１】
以下に、添付の図面を参照して、本発明に係る情報入力支援装置、情報入力支援方法及び情報入力支援プログラムの好適な実施の形態について詳細に説明する。
【００１２】
図１は、本発明の一実施の形態に係る情報入力支援装置を備える業務処理システムの全体構成の例を示す説明図である。また、図２は、同業務処理システムの情報入力支援装置の機能的構成の例を示すブロック図である。また、図３は、同情報入力支援装置のハードウェア構成の例を示す構成図である。
【００１３】
図１に示すように、業務処理システム１００は、業務処理サーバ１１０と、複数の情報入力支援装置１０１〜１０Ｎ（Ｎは任意の整数）とを含む。この業務処理システム１００を構成する業務処理サーバ１１０及び各情報入力支援装置１０１〜１０Ｎは、例えば、それぞれインターネットやＬＡＮ（Ｌｏｃａｌ  Ａｒｅａ  Ｎｅｔｗｏｒｋ）などの通信ネットワーク１１９に接続されている。
【００１４】
なお、通信ネットワーク１１９には、業務処理システム１００と異なる他の業務処理システムや情報処理システム（例えば、システム１〜システムＮ）が接続されており、業務処理システム１００との間で各種の情報のやりとりを行うことができるように構成されている。
【００１５】
業務処理サーバ１１０は、例えば業務処理システム１００のシステム管理者によって管理され、各情報入力支援装置１０１〜１０Ｎや上記システム１〜Ｎとそれぞれ連携して業務処理を行うための各種の機能を有する。この業務処理サーバ１１０は、例えばＷＷＷサーバなどの情報処理装置によって構成され、テレビジョン装置や液晶表示装置などによって構成される画像表示部（表示画面）を有する表示装置を、内部或いは外部に備えている。
【００１６】
各情報入力支援装置１０１〜１０Ｎは、それぞれ業務処理での入力作業などを行うユーザによって管理され、例えばパーソナルコンピュータやワークステーション、携帯情報端末などの情報処理装置によって構成される。各情報入力支援装置１０１〜１０Ｎは、通信ネットワーク１１９に接続するための通信モジュールなどのハードウェア及び通信ソフトなどのソフトウェアを備えている。これら情報入力支援装置１０１〜１０Ｎは、それぞれ、業務処理サーバ１１０と同様に、テレビジョン装置や液晶表示装置などによって構成される画像表示部（表示画面）を有する表示装置を、内部或いは外部に備えている。
【００１７】
情報入力支援装置１０１〜１０Ｎは、図２に示すように、処理実行部２００と、記憶部２１０とを備え、処理実行部２００は、制御部２０１と、入力受付部２０２と、表示処理部２０３と、演算部２０４と、抽出部２０５とを有し、各種の設定に関する設定情報２０６を含んで構成される。
【００１８】
また、記憶部２１０は、入力履歴ＤＢ（データベース）２１１と、重複頻度ＤＢ２１２とを備えて構成される。処理実行部２００の制御部２０１は、情報入力支援装置１０１〜１０Ｎ全体の制御をそれぞれ司る。入力受付部２０２は、表示装置の表示画面上に表示された複数の入力項目（例えば、取引業務に関する伝票などの各種項目）に対して、キーボードやマウスなどの入力装置を介した操作者（ユーザ）の操作入力に伴う入力情報や、他の情報入力支援装置１０１〜１０Ｎから送信された各種情報、記憶部２１０に記憶されている各種情報、及び通信ネットワーク１１９に接続された業務処理サーバ１１０やシステム１〜Ｎからの各種情報の入力を受け付ける。
【００１９】
表示処理部２０３は、表示装置の表示画面上に制御部２０１の制御命令により描画される各種情報や演算部２０４により演算処理された各種情報を、例えば文字、図形、記号、アイコン、画像などの各態様によって表示する。また、表示処理部２０３は、上述した複数の入力項目の表示領域を有する項目表示画面を表示する。
【００２０】
演算部２０４は、表示処理部２０３によって表示装置の表示画面上に表示される各種情報に関する演算処理を行う。この演算部２０４は、例えば、記憶部２１０の入力履歴ＤＢ２１１に記憶された入力履歴情報を用いて、ある入力情報の複数の入力項目に対する使用状況に関しての重複頻度を算出する演算処理を行う。
【００２１】
抽出部２０５は、演算部２０４によって算出された重複頻度に基づいて、入力受付部２０２により複数の入力項目のうちの少なくとも一の入力項目への入力情報が受け付けられた場合に、この受け付けられた入力情報に対応する重複頻度情報（重複頻度情報の内容については、後述する）を、記憶部２１０の重複頻度ＤＢ２１２から抽出する。
【００２２】
記憶部２１０の入力履歴ＤＢ２１１は、入力受付部２０２により受け付けられた入力情報を、現在までになされている入力内容の記録である入力履歴情報として記憶する。重複頻度情報ＤＢ２１２は、入力履歴情報から生成される重複頻度情報を格納する。
【００２３】
なお、記憶部２１０には、図示は省略するが、業務処理システム１００のシステム全体を統括管理するためのシステムマスタ情報や、通信ネットワーク１１９を介して取得されたシステム１〜Ｎのシステムマスタ情報などが格納される。
【００２４】
このように機能的に構成された情報入力支援装置１０１〜１０Ｎのハードウェア構成は、例えば次のようなものとなる。図３に示すように、情報入力支援装置１０１〜１０Ｎは、ＣＰＵ１２１と、ＲＯＭ１２２と、ＲＡＭ１２３と、磁気ディスクドライブ１２４と、磁気ディスク１２５と、光ディスクドライブ１２６と、光ディスク１２７と、入力装置１２８と、スキャナ１２９と、ディスプレイ１３０と、プリンタ１３１と、通信インタフェース（Ｉ／Ｆ）１３２とを備えて構成され、各構成部１２１〜１２４、１２６、１２８〜１３２は、システムバス１４０によってそれぞれ接続されている。
【００２５】
ＣＰＵ１２１は、情報入力支援装置１０１〜１０Ｎそれぞれの全体の制御を司る。ＲＯＭ１２２は、ブートプログラム、情報入力支援プログラム、業務処理プログラム、通信プログラムなどの各種の制御プログラムを記憶している。また、ＲＡＭ１２３は、ＣＰＵ１２１が各種の処理を実行している際のワークエリアなどとして使用される。
【００２６】
ここで、情報入力支援プログラムは、ユーザが入力項目のうちいくつかを入力した場合、それらの入力された入力項目の入力内容を含む重複頻度情報を抽出し、ユーザに選択を促し、ユーザがいずれかの重複頻度情報を選択した場合には、その重複頻度情報が含む入力内容をユーザに代わって入力欄に入力もしくはセットする。
【００２７】
磁気ディスクドライブ１２４は、ＣＰＵ１２１の制御にしたがって磁気ディスク１２５に対する情報の読み取りや書き込みなどを制御する。磁気ディスク１２５は、磁気ディスクドライブ１２４の制御で書き込まれた情報を記録する。なお、磁気ディスク１２５としては、例えば、ハードディスク（ＨＤ）やフレキシブルディスク（ＦＤ）を用いることが可能である。ＦＤを用いた場合は、磁気ディスクドライブ１２４に対して着脱自在に構成することができる。
【００２８】
光ディスクドライブ１２６は、ＣＰＵ１２１の制御にしたがって光ディスク１２７に対する情報の読み取りや書き込みなどを制御する。光ディスク１２７は、光ディスクドライブ１２６の制御にしたがって情報が読み出される着脱自在な記録媒体である。この光ディスク１２７としては、書き込み可能な記録媒体を用いることもできる。
【００２９】
また、この着脱可能な記録媒体としては、光ディスク１２７の他、ＭＯ（Ｍａｇｎｅｔｏ  Ｏｐｔｉｃａｌ  Ｄｉｓｋ）やメモリカードなどが用いられてもよく、その場合は光ディスクドライブ１２６とともに、或いは光ディスクドライブ１２６に代えて、ＭＯやメモリカードに対応する各種ドライブ装置が備えられればよい。
【００３０】
これら磁気ディスク１２５や光ディスク１２７に記録される情報の一例としては、図２に示した記憶部２１０に格納される各種情報（例えば、入力履歴情報、関連付け情報など）が挙げられる。また、これら磁気ディスク１２５や光ディスク１２７に記録される情報としては、業務処理システム１００において用いられる各種の情報が挙げられる。
【００３１】
入力装置１２８は、文字や数値、或いは各種指示や操作入力などの情報入力支援装置１０１〜１０Ｎに対する入力のための複数のキーを備えたキーボード、マウス、ディスプレイ１３０の画面上に積層されたタッチパネル、リモコンなどによって構成され、この入力装置１２８から入力された入力情報はＣＰＵ１２１によって受け付けられる。
【００３２】
スキャナ１２９は、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの撮像デバイスを備え、撮像した画像情報を情報入力支援装置１０１〜１０Ｎに対して出力する。
【００３３】
ディスプレイ１３０は、表示画面上に上述した複数の入力項目の表示領域や重複頻度情報を示す表示領域や、カーソル、メニュー、ウィンドウ、アイコン、又は文字や画像などの各種情報を表示する。このディスプレイ１３０は、例えば、ＣＲＴ（Ｃａｔｈｏｄｅ  Ｒａｙ  Ｔｕｂｅ）、液晶ディスプレイ、プラズマディスプレイ、有機ＥＬ（Ｏｒｇａｎｉｃ  Ｅｌｅｃｔｒｏｌｕｍｉｎｅｓｃｅｎｃｅ）ディスプレイなどによって構成される。プリンタ１３１は、レーザ方式、インクジェット方式或いは熱転写方式などの印刷方式によって、情報入力支援装置１０１〜１０Ｎにて扱われる文字や画像などの各種情報を紙などの印刷媒体上に印刷出力する。
【００３４】
通信Ｉ／Ｆ１３２は、各情報入力支援装置１０１〜１０ＮのＣＰＵ１２１と通信ネットワーク１１９との間で送受信される各種情報の通信全般の処理を司る。この通信Ｉ／Ｆ１３２は、例えば有線又は無線による通信機能を備えた通信モジュールによって構成される。そして、上述した磁気ディスク１２５や光ディスク１２７に記録され各情報入力支援装置１０１〜１０Ｎにて使用される各種情報は、例えばこの通信Ｉ／Ｆ１３２を介して外部から取得されるものであってもよい。
【００３５】
なお、業務処理サーバ１１０の機能的構成及びハードウェア構成は、上述した情報入力支援装置１０１〜１０Ｎの機能的構成及びハードウェア構成と同様の構成を採用することができるため、ここでは説明を省略する。また、図２に示した処理実行部２００の制御部２０１、演算部２０４及び抽出部２０５は、例えばＣＰＵ１２１によってその機能を実現し、入力受付部２０２は、例えばＣＰＵ１２１及び入力装置１２８などによってその機能を実現する。
【００３６】
さらに、図２に示した処理実行部２００の表示処理部２０３は、例えばＣＰＵ１２１及びディスプレイ１３０によってその機能を実現する。そして、図２に示した記憶部２１０は、例えばＲＯＭ１２２、ＲＡＭ１２３、磁気ディスク１２５及び光ディスク１２７などによってその機能を実現する。
【００３７】
ここで、記憶部２１０に格納されるシステムマスタ情報について説明する。図４〜図７は、システムマスタ情報に含まれる業務マスタ情報を説明するための説明図である。システムマスタ情報は、例えば取引業務に関する業務項目ごとにそれぞれ付随する複数の詳細項目情報を含んで構成された複数の業務マスタ情報を有する。
【００３８】
本例の業務処理システム１００における情報入力支援装置１０１〜１０Ｎにおいては、業務マスタ情報は、図４〜図７に示すように、例えば部門マスタ４００（図４参照）と、取引マスタ５００（図５参照）と、商品マスタ６００（図６参照）と、納品先マスタ７００（図７参照）とが挙げられる。
【００３９】
部門マスタ４００は、図４に示すように、詳細項目情報として、部門の固有識別コードである部門コード４０１と、部門の名称を表す部門名４０２と、部門に関するその他の各種の情報４０３とを含む。この部門マスタ４００によれば、例えば部門コード４０１が「Ｄ０１」である場合は部門名４０２が「営業第一部」であることが示され、部門コード４０１が「Ｄ０２」である場合は部門名４０２が「営業第二部」であることが示される。同様に、この部門マスタ４００によれば、例えば部門コード４０１が「Ｄ０３」である場合は部門名４０２が「関西営業部」であることが示される。
【００４０】
取引マスタ５００は、図５に示すように、詳細項目情報として、取引先の固有識別コードである取引先コード５０１と、取引先の名称を表す取引先名５０２と、取引先の住所を表す取引先住所５０３と、取引先に関するその他の各種の情報５０４とを含む。この取引先マスタ５００によれば、例えば取引先コード５０１が「Ｔ０１」である場合は取引先名５０２が「Ｔ商会」であり取引先住所５０３が「東京都千代田区…」であることが示され、取引先コード５０１が「Ｔ０２」である場合は取引先名５０２が「Ｎ精密」であり取引先住所５０３が「名古屋市栄区…」であることが示される。同様に、この取引先マスタ５００によれば、例えば取引先コード５０１が「Ｔ０３」である場合は取引先名５０２が「Ｏ製造」であり取引先住所５０３が「大阪市城東区…」であることが示される。
【００４１】
商品マスタ６００は、図６に示すように、詳細項目情報として、商品の固有識別コードである商品コード６０１と、商品の名称を表す商品名６０２と、商品の単体の重さを表す重量６０３と、商品の外形や容器の形状などを表す形状６０４と、商品に関するその他の各種の情報６０５とを含む。この商品マスタ６００によれば、例えば商品コード６０１が「Ｃ０１」である場合は商品名６０２が「Ａ野菜３５０ｍｌ」で、重量６０３が「３５０ｇ」であり形状６０４が「缶」であることが示され、商品コード６０１が「Ｃ０２」である場合は商品名６０２が「カフェ・オレ５００ｍｌ」で、重量６０３が「５００ｇ」であり形状６０４が「ペットボトル」であることが示される。同様に、この商品マスタ６００によれば、例えば商品コード６０１が「Ｃ０３」である場合は商品名６０２が「緑茶５００ｍｌ」で、重量６０３が「５００ｇ」であり形状６０４が「ペットボトル」であることが示される。
【００４２】
納品先マスタ７００は、図７に示すように、詳細項目情報として、納品先の固有識別コードである納品先コード７０１と、納品先の名称を表す納品先名７０２と、納品先の住所を表す納品先住所７０３と、納品先での担当者名を表す納品先担当７０４と、納品先に関するその他の各種の情報７０５とを含む。この納品先マスタ７００によれば、例えば納品先コード７０１が「Ｎ０１」である場合は納品先名７０２が「Ｔ商会・中央倉庫」で、納品先住所７０３が「東京都中央区…」であり納品先担当７０４が「Ｔ中」であることが示され、納品先コード７０１が「Ｎ０２」である場合は納品先名７０２が「Ｔ商会・本社」で、納品先住所７０３が「東京都千代田区…」であり納品先担当７０４が「Ｓ木」であることが示される。同様に、この納品先マスタ７００によれば、例えば納品先コード７０１が「Ｎ０３」である場合は納品先名７０２が「Ｔ商会・流通センター」で、納品先住所７０３が「東京都江東区…」であり納品先担当７０４が「Ｙ田」であることが示される。
【００４３】
これら各マスタ４００，５００，６００，７００において、例えば取引業務の伝票に関する情報を入力する場合に用いられる詳細項目情報は、各コード４０１，５０１，６０１，７０１であり、これら各コード４０１，５０１，６０１，７０１によって各マスタ４００，５００，６００，７００内のどのような詳細項目が関連付けられているかが定められる。
【００４４】
図８は、本例の情報入力支援装置１０１〜１０Ｎにおける表示装置の表示画面上に表示される伝票項目入力画面の例を示す説明図である。図８に示すように、伝票項目入力画面８００は、取引業務（図８に示す例では、発注業務用に用意された伝票項目入力画面である。取引業務の種類に応じて個別に伝票項目入力画面が用意されてよい）の内容を記録するための情報である複数の入力項目について、ユーザからの入力を受け付けるための入力欄８０１〜８１０と、伝票項目に関する入力完了を情報入力支援装置１０１〜１０Ｎに指示するための「Ｏ．Ｋ．」ボタン８１１と、伝票項目入力処理を中止するための「戻る」ボタン８１２と、新たな明細を追加して入力するための明細追加ボタン８１３と、入力欄８０１〜８１０の全部又は一部への入力を情報入力支援装置１０１〜１０Ｎに行わせるための入力アシストボタン８１４が生成されている。
【００４５】
情報入力支援装置１０１〜１０Ｎのユーザ又はオペレータは、伝票項目入力画面８００を用いて、取引業務の伝票番号（伝票Ｎｏ．）を伝票番号入力欄８０１に入力し、日付を日付入力欄８０２に入力され、その伝票の取り扱い部門を部門入力欄８０３に入力し、入力担当者を入力担当者入力欄８０４に入力し、取引先（商品仕入先）を取引先入力欄８０５に入力し、商品（コード）を商品入力欄８０６に入力し、商品の納品先（コード）を納品先入力欄８０７に入力し、発注数量を数量入力欄８０８に入力し、商品単価を単価入力欄８０９に入力し、発注金額（数量×単価）を金額入力欄８１０に入力する。
【００４６】
「Ｏ．Ｋ．」ボタン８１１は、例えば入力装置１２８などを用いて押下することによって、各入力欄８０１〜８１０に入力した情報を確定する際に使用され、「戻る」ボタン８１２は、入力のキャンセルや、伝票項目入力画面８００の前画面に戻る際などに使用される。
【００４７】
本実施の形態では、複数の商品や納品先を一つの伝票で扱えるようにするために、伝票データをヘッダと明細とで構成している。「ヘッダ」は、伝票Ｎｏ．日付、部門、入力者、取引先からなる。また、「明細」は商品、納品先、数量、単価、金額からなる。一つのヘッダは複数の明細を有することができる。したがって、一つの伝票で複数種類の商品を同時に扱ったり、複数の納品先を同時に扱ったりすることができる。なお、本発明がこのようなデータ構成を採用することに限定する趣旨ではなく、伝票データがヘッダと明細の区別のないデータであってもよいし、一つのヘッダに一つの明細であってもかまわない。
【００４８】
図８に示した例では、全入力欄８０１〜８１０にデータが入力完了している状態を示している。すなわち、伝票番号入力欄８０１に伝票番号「００１」が入力されており、日付入力欄８０２に日付「０６／１３／０７（２００７年６月１３日）」が入力されており、部門入力欄８０３に部門コード「Ｄ０１」が入力されており、入力担当者入力欄８０４に入力者名「Ｎ本」が入力されており、取引先入力欄８０５に取引先コード「Ｔ０１」が入力されており、商品入力欄８０６に商品コード「Ｃ０１」が入力されており、納品先入力欄８０７に納品先コード「Ｎ０１」が入力されており、数量入力欄８０８に数量「１，２００」が入力されており、単価入力欄８０９に単価「８９」が入力されており、金額入力欄８１０に金額「１０６，８００」が入力されている。なお、単価入力欄８０９への入力はユーザが行うのではなく、情報入力支援装置１０１〜１０Ｎが商品マスタを参照して商品コードに応じたデータを自動で入力するようにしてもかまわない。
【００４９】
なお、伝票項目入力画面８００における複数の入力項目のうち、予め用意された複数の候補から選択することが可能な入力項目（例えば、商品、納品先、入力者、部門、取引先など；図８中において項目名に下線を伏して図示した）は、取引業務に関する情報の入力時に毎回繰り返し使用される（すなわち、繰り返し使用される場合が多い）項目であるアドレス項目として定義され、上述した各マスタ４００，５００，６００，７００に結び付けられている。
【００５０】
一方、伝票項目入力画面８００における複数の入力項目のうち、下線が付されていない入力項目（例えば、伝票Ｎｏ．、日付、数量、単価、金額など）は、取引業務に関する情報の入力時に毎回流動的に変化する（すなわち、流動的に変化する場合が多い）項目であるボリューム項目として定義されている。なお、これらアドレス項目及びボリューム項目の定義付けは、操作者、管理者、設計者などによって任意に変更することが可能である。
【００５１】
本実施の形態に係る情報入力支援装置１０１〜１０Ｎは、アドレス項目についてのみユーザやオペレータに代わって自動的に入力欄にデータを入力する入力支援を行うものとして説明するが、本発明はアドレス項目のみでなくボリューム項目についても入力支援を行うことが可能であって、本実施の形態での入力支援形態に本発明が限定されない。
【００５２】
ユーザは各情報入力支援装置１０１〜１０Ｎを操作して、各入力欄８０１〜８１０に情報を入力し（入力支援により入力された情報を含む）、全入力欄に入力が終了した後「Ｏ．Ｋ．」ボタン８１１を押下し、もしくはクリックなどの操作によって活性化させると、各入力項目に対する入力に基づいて生成された入力履歴情報（例えば、各入力欄に対応するフィールドを有し、これらフィールドに入力情報を格納したレコード）が記憶部２１０，より詳しくは入力履歴ＤＢ２１１に格納される。また、既に格納済みの入力履歴情報と新たに格納された入力履歴情報に基づいて生成される重複頻度情報が記憶部２１０，より詳しくは重複頻度ＤＢ２１２に記憶される。入力履歴情報は、伝票の記入内容に相当するデータであって、図８に示す伝票項目入力画面から入力された諸情報のまとまりである。重複頻度情報は、同一の内容を有する入力履歴情報が過去に何度出現したかを示す情報であって、出現回数（以下、「重複頻度」と呼ぶ）と入力履歴情報の内容とを対にしたデータである。ここで、各情報入力支援装置１０１〜１０Ｎにおける重複履歴情報に関する処理について説明する。
【００５３】
図９は、本例の業務処理システム１００の情報入力支援装置１０１〜１０Ｎにおける入力履歴情報等生成処理の一例を示すフローチャートである。なお、以降において、各情報入力支援装置１０１〜１０Ｎのうち、特に明記しない場合は情報入力支援装置１０１を例に挙げて説明する。しかし、他の情報入力支援装置１０２〜１０Ｎや業務処理サーバ１１０においても同様に入力履歴情報等生成処理が行われる構成であっても本発明は成立する。また、以降において、既に説明した部分と重複する箇所には同一の符号を付して説明を省略する。さらに、本例の入力履歴情報等生成処理に特に関わる部分以外の説明は省略することとし、上述した伝票項目入力画面８００を利用した入力履歴情報等生成処理について説明することとする。
【００５４】
図９に示すように、まず、情報入力支援装置１０１〜１０Ｎの入力受付部２０２によって、上述した伝票項目入力画面８００における複数の入力項目の入力欄８０１〜８１０について、情報の入力受付（ステップＳ１０１）が行われる。次に、制御部２０１は、入力受付部２０２によるすべての入力項目の入力欄８０１〜８１０の入力情報の受け付けが完了したか否かを判断する（ステップＳ１０２）。
【００５５】
入力情報の受け付けが完了していないと判断した場合は（ステップＳ１０２のＮｏ）、制御部２０１は、上記ステップＳ１０１に戻り、未入力の項目について入力情報を受け付ける。一方、入力情報の受け付けが完了したと判断した場合は（ステップＳ１０２のＹｅｓ）、制御部２０１は、それぞれの入力欄８０１〜８１０に入力された入力情報を互いに関連付けて入力履歴情報を生成し（ステップＳ１０３）、生成された入力履歴情報を記憶部２１０，より詳しくは入力履歴ＤＢ２１１に格納する（ステップＳ１０４）。
【００５６】
次に、制御部２０１は、入力履歴ＤＢ２１１に記憶されている各入力履歴情報を参照し、重複頻度情報を生成する（ステップＳ１０５）。より詳しくは、制御部２０１は、同一の入力内容を有する入力履歴情報（各項目の入力内容が一致する入力履歴情報）の個数をカウントし、その個数と入力内容とを対応付けした情報である重複頻度情報を生成する（ステップＳ１０５）。その後、制御部２０１は、生成された入力履歴情報を記憶部２１０の重複頻度ＤＢ２１２に記憶させ（ステップＳ１０６）、本フローチャートによる一連の入力履歴情報等生成処理を終了する。
【００５７】
この重複頻度は、アドレス項目のみならず、例えば上述したボリューム項目を含めて算出するようにしてもよい。算出された重複頻度は、記憶部２１０によって一時的或いは恒久的に記憶される。
【００５８】
次に、情報入力支援装置１０１〜１０Ｎが実行する情報入力支援処理について説明する。なお、情報入力支援処理は必ずしも情報の入力が行われている情報入力支援装置１０１〜１０Ｎそれ自身によって行われなくともよく、別の情報処理装置（例えば、業務処理サーバ１１０，他の情報入力支援装置、或いは通信ネットワーク１１９に接続可能なサーバ（図略）など）が情報入力支援処理を行うサーバとして機能し、情報入力支援装置１０１〜１０Ｎは、サーバから上納入力支援用のデータ（例えば、重複頻度情報）を受け取り、それを画面に表示するクライアントとして機能する構成であっても本発明は成立する。
【００５９】
以下、情報入力支援処理の内容について、図１０を参照しながら説明する。図１０は、情報入力支援処理の一例を示したフローチャートである。図８に示した伝票入力画面を用いた例の場合には、情報入力支援処理は、「入力アシスト」ボタン８１４がユーザによって活性化されることによって開始される。
【００６０】
情報入力支援処理が開始されると、入力受付部２０２及び制御部２０１は、入力欄８０１〜８１０に入力された情報を取得する（ステップＳ２０１）。例えば、部門入力欄８０３に入力された情報が部門コード「Ｄ０１」を取得する。
【００６１】
続いて、制御部２０１は、ステップＳ２０１において取得した情報を含む重複履歴情報を記憶部２１０の重複頻度ＤＢ２１２より抽出する（ステップＳ２０２）。前述の例においては、制御部２０１は重複頻度ＤＢ２１２に記憶されているすべての重複頻度情報のうち、部門入力欄に入力された情報として「Ｄ０１」を含む重複頻度情報を抽出する。
【００６２】
次に、制御部２０１は、表示処理部２０３に抽出した重複頻度情報を表示処理させ、ユーザに重複頻度情報の選択を促す（Ｓ２０３）。
【００６３】
次に、制御部２０１はユーザが表示させた重複頻度情報のうちいずれかを選択したか否かを判定する（ステップＳ２０４）。
【００６４】
ステップＳ２０４の判定において、表示させたいずれかの重複頻度情報が選択されたと判断した場合（ステップＳ２０４，Ｙｅｓ）、制御部２０１は、その選択された重複頻度情報が含む各入力項目（入力欄８０１〜８１０に相当）に対応する情報を、対応する入力欄８０１〜８１０に入力又はセットする（ステップＳ２０５）。この処理によりユーザは個々の入力欄８０１〜８１０への入力操作を省くことができ、より迅速な入力処理を行うことが可能となる。また、従前に入力された各入力項目の情報の組み合わせは、高い蓋然性で正しい組み合わせで使用されていると考えることができるため、誤った組み合わせの情報を入力してしまうという入力ミスの防止にも資する。
【００６５】
一方、ステップＳ２０４の判定において、表示させた重複頻度情報のいずれも選択されていないと判定した場合（ステップＳ２０４，Ｎｏ）、制御部２０１はユーザが情報入力支援処理を中止しようとしているか否かを判定する（ステップＳ２０６）。ユーザが中止を情報入力装置１０１に指令する方法は多々考えられるが、この実施の形態では重複頻度情報表示画面に設けられた「戻る」ボタンの活性化によるものとする（なお、重複頻度情報表示画面については後に説明する）。
【００６６】
ステップＳ２０６の判定において、情報入力支援処理の中止が指示されたと判定した場合（ステップＳ２０６、Ｙｅｓ）には、制御部２０１は、何らの処理を行うことなく情報入力支援処理を終了する。一方、情報入力支援処理の中止が指示されていないと判定した場合（ステップＳ２０６、Ｎｏ）には、制御部２０１はステップＳ２０４に戻り、ユーザによる重複頻度情報の指定を待ち受ける。
【００６７】
以上で、情報入力支援処理の例について説明を終わる。
【００６８】
次に、情報入力支援装置１０１〜１０Ｎの動作、より詳しくは上述した入力履歴情報等生成処理、及び情報入力支援処理のさらに具体的な例及びその内容について説明する。
【００６９】
［入力履歴情報のデータ構成例］
まず、入力履歴情報等生成処理において生成される入力履歴情報のデータ構成例を説明する。
【００７０】
図１１から図１４は、それぞれ異なる入力履歴情報のデータ構成例を示した図である。これらはそれぞれ異なる伝票番号を有する４つの伝票に相当する入力履歴情報である。
【００７１】
図１１は伝票番号「００１」（作成日２００７年６月１３日）を与えられた伝票に相当するデータであり、図１２は伝票番号「００３」（作成日２００７年６月１５日）を与えられた伝票に相当するデータであり、図１３は伝票番号「００５」（作成日２００７年６月１６日）を与えられた伝票に相当するデータであり、図１４は伝票番号「００５」（作成日２００７年６月１６日）を与えられた伝票に相当するデータである。
【００７２】
これら４つの入力履歴情報１１００は、ヘッダ部データ１１０１と、明細部データ１１０２とを有する。ヘッダ部データ１１０１は必ず一つのレコードのみを有するが、明細部データ１１０２は複数のレコードを有することができる。
【００７３】
ヘッダ部データ１１０１は、伝票番号入力欄８０１に入力された情報を格納する伝票番号格納フィールド８０１Ｆと、日付入力欄８０２に入力された情報を格納する日付格納フィールド８０２Ｆと、部門入力欄８０３に入力された情報を格納する部門格納フィールド８０３Ｆと、入力担当者入力欄８０４に入力された情報を格納する部門格納フィールド８０４Ｆと、取引先入力欄８０５に入力された情報を格納する取引先格納フィールド８０５Ｆとを有している。これら各フィールド８０１Ｆ〜８０５Ｆには、先に説明した伝票項目入力画面８００によって入力された情報が格納される。
【００７４】
また、明細部データ１１０２の各レコードは、商品入力欄８０６に入力された情報を格納する商品格納フィールド８０６Ｆと、納品先入力欄８０７に入力された情報を格納する納品先格納フィールド８０７Ｆと、数量入力欄８０８に入力された情報を格納する数量格納フィールド８０８Ｆと、単価入力欄８０９に入力された情報を格納する単価格納フィールド８０９Ｆと、金額入力欄８１０に入力された情報を格納する金額格納フィールド８１０Ｆとを有している。これら各フィールド８０６Ｆ〜８１０Ｆにも、先に説明した伝票項目入力画面８００の対応する入力欄８０６〜８１０に入力された情報が格納される。
【００７５】
図１１から図１４までに示した例には、全部で９件のレコード（明細部データ１１０２が有する各レコード）が記録されている。
【００７６】
［重複頻度情報のデータ構成例］
図１５は、図１１から図１４までの入力履歴情報１１００に基づいて生成される重複頻度情報のデータ構成例を示した図である。重複頻度情報は、重複頻度テーブル１５００として重複頻度ＤＢ２１２に記憶される情報である。重複頻度テーブル１５００は、それぞれが重複頻度情報に相当するレコード１５０２を有している。各レコード１５０２は、アドレス項目について同一内容の情報を有する入力履歴情報のレコードごとに一つ生成される。例えば、部門「Ｄ０１」、入力者「Ｎ本」、取引先「Ｔ０１」、商品「Ｃ０１」、納品先「Ｎ０１」
【００７７】
レコード１５０２は、同一内容の情報を有する入力履歴情報のレコードの数である重複頻度を格納する重複頻度格納フィールド１５０１，部門入力欄８０３に入力された情報を格納する部門格納フィールド８０３Ｆと、入力担当者入力欄８０４に入力された情報を格納する部門格納フィールド８０４Ｆと、取引先入力欄８０５に入力された情報を格納する取引先格納フィールド８０５Ｆと、商品入力欄８０６に入力された情報を格納する商品格納フィールド８０６Ｆと、納品先入力欄８０７に入力された情報を格納する納品先格納フィールド８０７Ｆとを有している。
【００７８】
新たな入力履歴情報１１００が追加されると、追加された入力履歴情報１１００の内容に応じて、重複履歴情報１５００の内容が更新される。例えば、新たに追加された入力履歴情報１１００の内容が、図１５の最上段に示したレコード１５０２と同一の内容である場合には、図１５の最上段に示したレコード１５０２の重複頻度格納フィールドの内容が「３」から「４」に更新される。一方、新たに追加された入力履歴情報１１００の内容が、図１５に示したレコード１５０２のいずれとも同一の内容でない場合には、追加された入力履歴情報１１００の内容を有する新たなレコード１５０２が追加され、その重複頻度情報格納フィールド１５０１には「１」が格納される。
【００７９】
［情報入力支援処理の具体例］
次に、図１５に示した重複頻度情報１５００を用いた場合の、情報入力支援処理の具体例を説明する。
図１６は、図８に示した伝票項目入力画面８００であって、いずれの入力欄８０１〜８１０にも情報が入力されていない状態を示した図である。ユーザが情報入力支援装置１０１を用いて情報の入力を開始しようとした場合、通常このような入力画面となる。
【００８０】
ここで、図１６に示す画面状態において、ユーザが入力アシストボタン８１４を所定の操作により活性化したものとする。
【００８１】
図１７は、入力アシストボタン８１４の活性化により、図１６に示した画面から遷移した画面（重複頻度情報選択画面と呼ぶ）である。重複頻度情報選択画面１７００は、遷移前の伝票項目入力画面で入力欄８０１〜８１０に入力された情報を含む重複頻度情報のレコード１５０２を重複頻度ＤＢ２１２から抽出して表示し、ユーザに選択を促す画面である。図１７に示した例では、いずれの入力欄８０１〜８１０にも入力がないため、重複頻度ＤＢ２１２に格納されているすべての重複頻度情報のレコードが表示されている。また、各レコードに対応する「決定」ボタン１７０２が設けられており、ユーザがいずれかの決定ボタン１７０２を所定の操作（例えば、マウスによるクリック）で活性化することにより、対応する重複履歴情報のレコード１５０２が格納する情報（フィールド８０３Ｆ〜８０７Ｆ参照）をユーザに代わって対応する入力欄に入力する。
【００８２】
また、この例では、重複頻度の高い順で、重複履歴情報のレコード１５０２を表示するようにしている。これは、入力回数の多い情報の組み合わせは、より事後繰り返して利用される可能性が高いと考えられることによる。なお、重複頻度に代えて、利用頻度（決定ボタン１７０２の活性化された回数）の順で重複履歴情報のレコード１５０２を表示するようにしてもよいし、その他の順で表示するようにしてもかまわない。例えば、利用頻度の高い順に重複履歴情報のレコードを表示する。利用頻度は、特定のユーザ（入力者、オペレータなど）の使用状況に基づいて算出されるようにしてもよいし、全ユーザの使用状況に基づいて算出されるようにしても良い。
【００８３】
［重複頻度情報の絞り込み］
前述の重複頻度情報選択画面１７００に表示させる重複頻度情報のレコードをユーザのニーズに応じて絞り込みさせることができる。
【００８４】
図１８は、重複頻度情報を絞り込ませるために、伝票項目入力画面８００にユーザが情報を入力した状態の画面例を示している。この例では、ユーザは部門コードに「Ｄ０１」が入力された重複頻度情報を入力支援に使用したいため、部門入力欄８０３に「Ｄ０１」を入力している。
【００８５】
図１９は、図１８の画面状態においてユーザが入力アシストボタン８１４を活性したことにより遷移した重複頻度情報選択画面１７００の例を示している。図１９に示した重複頻度情報選択画面では、部門コード「Ｄ０１」を含む重複頻度情報のレコード１５０２のみが表示される。なお、図１７に示した重複頻度情報選択画面では、部門コード「Ｄ０１」に夜絞り込みが行われていないため、部門コード「Ｄ０２」を含む重複頻度情報のレコード１５０２も表示されていた。
【００８６】
ここで、図１９の画面状態において、ユーザは最上段のレコードの入力内容による情報入力支援を希望し、対応する決定ボタン１７０２を所定の操作によって活性化したものとする。
【００８７】
図２０は、図１９の画面状態において最上段のレコードに対応する決定ボタン１７０２が所定の操作によって活性化された後、遷移した伝票項目入力画面の例を示す。図２０に示す伝票項目入力画面において、選択した重複頻度情報のレコード１５０２が有する各格納フィールド８０３〜８１０に格納されている情報が、対応する入力欄８０３に入力されている。これにより、ユーザは自らがデータを入力する手間を省くことが可能となる。
【００８８】
図２１は、図１８の状態からさらに、商品コード「Ｃ０１」を絞り込み条件に加えた状態の伝票項目入力画面の例である。ユーザは、この絞り込みを行わせるため、商品入力欄８０６に商品コード「Ｃ０１」を入力し、入力アシストボタン８１４を活性化させたものとする。
【００８９】
その結果を示すのが図２２に示した画面である。図２２は、図２１の伝票項目入力画面において、入力アシストボタン８１４を活性化させた場合に遷移する重複頻度情報選択画面１７００の例を示す図である。
【００９０】
この場合、重複頻度情報選択画面１７００に表示される重複頻度情報のレコード１５０２は、部門コードが「Ｄ０１」であって、且つ商品コードが「Ｃ０１」であるものに絞られる。ユーザは自分が今入力したい内容が、部門コードが「Ｄ０１」であって、且つ商品コードが「Ｃ０１」であるとわかる場合には、このような絞り込みを行うことによって、自分の必要とする情報入力支援のための重複頻度情報により簡単且つ選択間違いを起こさずにたどり着くことが可能となる。
【００９１】
図２３に、図２２の重複頻度情報選択画面１７００において上から二段目に表示された重複頻度情報のレコードに対応する決定ボタン１７０２をユーザが活性化させた結果、情報入力支援が行われた伝票項目入力画面の例を示す。この画面において未入力の入力欄８０１，８０２，８０８、８０９，８１０にユーザが手入力で情報を入力した後、「ＯＫ」ボタン８１１を活性化させると、情報入力支援装置１０１は入力された情報の内容で新たな入力履歴情報を生成し、記憶し、且つこの入力履歴情報に基づいて重複頻度情報の更新を行うこととなる。
【００９２】
このように、本例の情報入力支援装置１０１では、情報を入力する際の手間や入力ミスを省くように支援することができるので、入力作業の簡素化や効率化を図ることが可能となる。
【００９３】
なお、重複頻度に基づき、アドレス項目のみならずボリューム項目についても同様に自動的に入力することができるように構成してもよい。また、重複頻度のみならず、例えば実使用回数などを加味して重複頻度情報を抽出するようにしてもよい。このような情報入力支援装置１０１の動作は、具体的には次のようなものとなる。
【産業上の利用可能性】
【００９４】
本発明によれば、業務処理システムにて各種の情報を入力するのに有用である。
【図面の簡単な説明】
【００９５】
【図１】本発明の一実施の形態に係る情報入力支援装置を備える業務処理システムの全体構成の例を示す説明図である。
【図２】同業務処理システムの情報入力支援装置の機能的構成の例を示すブロック図である。
【図３】同情報入力支援装置のハードウェア構成の例を示す構成図である。
【図４】システムマスタ情報に含まれる業務マスタ情報を説明するための説明図である。
【図５】システムマスタ情報に含まれる業務マスタ情報を説明するための説明図である。
【図６】システムマスタ情報に含まれる業務マスタ情報を説明するための説明図である。
【図７】システムマスタ情報に含まれる業務マスタ情報を説明するための説明図である。
【図８】本例の情報入力支援装置における表示装置の表示画面上に表示される伝票項目入力画面の例を示す説明図である。
【図９】本例の業務処理システムの情報入力支援装置における入力履歴情報等生成処理の例を示すフローチャートである。
【図１０】本例の業務処理システムの情報入力支援装置における情報入力支援処理の例を示すフローチャートである。
【図１１】入力履歴情報のデータ構成例を示す図である。
【図１２】図１１とは別の、入力履歴情報のデータ構成例を示す図である。
【図１３】図１１，１２とは別の、入力履歴情報のデータ構成例を示す図である。
【図１４】図１１から図１３とは別の、入力履歴情報のデータ構成例を示す図である。
【図１５】重複頻度情報のデータ構成例を示す図である。
【図１６】入力欄への入力がなされていない状態の伝票項目入力画面例を示す図である。
【図１７】図１６から遷移した、重複頻度情報選択画面の例を示す図である。
【図１８】一つの入力欄への入力がなされた状態の伝票項目入力画面例を示す図である。
【図１９】図１８から遷移した、重複頻度情報選択画面の例を示す図である。
【図２０】図１９から遷移した伝票項目入力画面の例を示す図である。
【図２１】図１８の入力に加えて、さらに一つの入力欄への入力がなされた状態の伝票項目入力画面例を示す図である。
【図２２】図２１から遷移した、重複頻度情報選択画面の例を示す図である。
【図２３】図２２から遷移した伝票項目入力画面の例を示す図である。
【符号の説明】
【００９６】
１００          業務処理システム
１０１〜１０Ｎ  情報入力支援装置
１１０          業務処理サーバ
１１９          通信ネットワーク
１２１          ＣＰＵ
１２２          ＲＯＭ
１２３          ＲＡＭ
１２４          磁気ディスクドライブ
１２５          磁気ディスク
１２６          光ディスクドライブ
１２７          光ディスク
１２８          入力装置
１２９          スキャナ
１３０          ディスプレイ
１３１          プリンタ
１３２          通信Ｉ／Ｆ
２００          処理実行部
２１０          記憶部
【図１】
0005205620.tif 000002
【図２】
0005205620.tif 000003
【図３】
0005205620.tif 000004
【図４】
0005205620.tif 000005
【図５】
0005205620.tif 000006
【図６】
0005205620.tif 000007
【図７】
0005205620.tif 000008
【図８】
0005205620.tif 000009
【図９】
0005205620.tif 000010
【図１０】
0005205620.tif 000011
【図１１】
0005205620.tif 000012
【図１２】
0005205620.tif 000013
【図１３】
0005205620.tif 000014
【図１４】
0005205620.tif 000015
【図１５】
0005205620.tif 000016
【図１６】
0005205620.tif 000017
【図１７】
0005205620.tif 000018
【図１８】
0005205620.tif 000019
【図１９】
0005205620.tif 000020
【図２０】
0005205620.tif 000021
【図２１】
0005205620.tif 000022
【図２２】
0005205620.tif 000023
【図２３】
0005205620.tif 000024